(57)【要約】【課題】  全体が小型であって、家庭で手軽に使用することができ、しかも簡単な構造で男性機能の改善を確実に図ることができ、しかも安価に製造することができるようにする。【解決手段】  本装置は、変速機能付きのモータ１と、モータ１の駆動軸２に連結され、モータ１の駆動に伴って回転するクランク軸３と、クランク軸３に接続され、クランク軸３の回転に伴って前後方向に動くリンク部材４と、リンク部材４に連結された軸部材５を介してリンク部材４と連動する、従動部材としての略円筒状内部材６と、略円筒状内部材６が収容された、ガイド手段としての円筒状外部材７と、略円筒状内部材６の後端に収容されたリング状治療部材８とを有し、リング状治療部材８に男性器を挿入する構造となされている。【選択図】  図１
0003129323.tif 000002
【実用新案登録請求の範囲】
【請求項１】
モータで回転するクランク軸と、クランク軸に連動して前後方向に動くリンク部材と、リンク部材と一体に動く従動部材と、従動部材を前後方向に案内するガイド手段と、従動部材に取り付けられたリング状の治療部材とを有し、治療部材内に男性器が挿入自在となされている、男性機能改善装置。
【請求項２】
従動部材とガイド部材がそれぞれ略円筒状であり、従動部材の外径がガイド部材の内径に対応しており、ガイド部材内に従動部材が挿入されて、従動部材がガイド部材内を摺動するようになされ、従動部材の前端には正面から円弧状で、横断面チャンネル状の治療部材収容部が形成され、治療部材収容部の側部には治療部材を上側から押さえるストッパレバーがヒンジを介して回動自在に取り付けられている、請求項１記載の男性機能改善装置。
【請求項３】
治療部材が略Ｃ形の左右二部材で構成され、中央のヒンジ部に装着されたバネにより左右方向に開離自在となされている、請求項１または請求項２記載の男性機能改善装置。
【請求項４】
モータが変速機能付きである請求項１〜請求項３のうちのいずれか一項記載の男性機能改善装置。
【考案の詳細な説明】
【技術分野】
【０００１】
本考案は、男性器の勃起障害や勃起低下等といった症状を改善するための男性機能改善装置に関する。
【背景技術】
【０００２】
近年、生活習慣や日常のストレス等によって、男性器の勃起障害や勃起低下といった症状を有する男性が非常に増加してきており、その数は日本ではすでに１０００万人以上と言われている。また、最近では少子化も大きな社会問題となっている。
【０００３】
男性器の勃起障害や勃起低下は病気の一種と言えるが、男性にとっては精神的に羞恥の意識が強くはたらくことから、病院へ行って相談したり、具体的な診断を受けることを嫌がる人が多いのが実情である。また、近年、男性器の機能回復作用を有する薬剤も販売されているが、非常に高価であり、経済的に裕福でない人にとっては日常的に投薬することができないのが実情である。
【０００４】
また、従来、家庭等で男性器の機能矯正を図る目的で、カメラの三脚形態としたスタンド上に箱状体を取り付け、該箱状体内に、男性器を挿入するリング状部材と、該リング状部材を支持する支持手段と、リング状部材を回動させるためのモータ等を組み込んだ男性器機能矯正装置も開発されている。
【特許文献１】実公平１−１１２１８
【考案の開示】
【考案が解決しようとする課題】
【０００５】
しかしながら、前記装置の場合、男性器を挿入するリング状部材を動かすための機構が複雑であるため、故障が発生し易く、また装置全体が大きいため、設置スペースをとると共に、装置の用途面から使用者が家族や他人に知られたくという要望に反する他、リング状部材が男性器の伸縮方向に対して直角方向から作用する構造であったため、十分な効果が得難い等、種々の不都合があった。
【０００６】
本考案の目的は、全体が小型であって、家庭で手軽に使用することができ、しかも簡単な構造で男性機能の改善を確実に図ることができ、しかも安価に製造することが可能な男性機能改善装置を提供することにある。
【課題を解決するための手段】
【０００７】
請求項１記載の本考案は、モータで回転するクランク軸と、クランク軸に連動して前後方向に動くリンク部材と、リンク部材と一体に動く従動部材と、従動部材を前後方向に案内するガイド手段と、従動部材に取り付けられたリング状の治療部材とを有し、治療部材内に男性器が挿入自在となされている男性機能改善装置である。
【０００８】
請求項２記載の本考案は、前記請求項１記載の男性機能改善装置について、従動部材とガイド部材がそれぞれ略円筒状であり、従動部材の外径がガイド部材の内径に対応しており、ガイド部材内に従動部材が挿入されて、従動部材がガイド部材内を摺動するようになされ、従動部材の前端には正面から円弧状で、横断面チャンネル状の治療部材収容部が形成され、治療部材収容部の側部には治療部材を上側から押さえるストッパレバーがヒンジを介して回動自在に取り付けられていることを特徴とするものである。
【０００９】
請求項３記載の本考案は、前記請求項１または請求項２記載の男性機能改善装置について、治療部材が略Ｃ形の左右二部材で構成され、中央のヒンジ部に装着されたバネにより左右方向に開離自在となされていることを特徴とするものである。
【００１０】
請求項４記載の本考案は、前記請求項１〜請求項３のうちのいずれか一項記載の男性機能改善装置について、モータが変速機能付きであることを特徴とするものである。
【考案の効果】
【００１１】
本考案に係る男性機能改善装置は、前述した通り、簡素化された構造であるため、故障等が発生し難く、また装置全体を小型化できるため、一般家庭でも場所をとらず、また家族に知られることなく、手軽に使用することができる。
【００１２】
また、本考案に係る男性機能改善装置は、男性器が挿入される治療部材が男性器に対して前後方向（男性器の伸縮方向）に動くため、従来に比べて有効な治療が期待できる。
【考案を実施するための最良の形態】
【００１３】
次に、本考案の実施形態を図面にしたがって説明するが、本考案はかかる実施形態に限定されるものではなく、その要旨の範囲内で種々の変形実施が可能である。
【００１４】
なお、本実施形態において、前後、左右および上下は、図１を基準とし、前とは図１の下側、後とは同図上側を指し、上とは図１の図面紙葉の表側方向、下とは同裏側方向を意味し、また左右とは、図１の左右を指す。
【００１５】
図１に示すように、まず本実施形態に係る装置の全体構成について説明すると、本実施形態の装置は、変速機能付きのモータ１と、モータ１の駆動軸２に連結され、モータ１の駆動に伴って回転するクランク軸３と、クランク軸３に接続され、クランク軸３の回転に伴って前後方向に動くリンク部材４と、リンク部材４に連結された軸部材５を介してリンク部材４と連動する、従動部材としての略円筒状内部材６と、略円筒状内部材６が収容された、ガイド手段としての円筒状外部材７と、略円筒状内部材６の後端に収容されたリング状治療部材８とを有するものである。
【００１６】
クランク軸３は軸受１１Ａ・１１Ｂによって基台９上に回転自在に支持され、クランク軸３におけるモータ１側端にはコ字形部材１３が一体に取り付けられ、コ字形部材１３内にモータ１の駆動軸２が挿入され、ピン１４によりコ字形部材１３と駆動軸２が連結されている。
【００１７】
なお、図中２０はモータ１を基台９上に設置するための帯状体、１２は帯状体の両端部を基台９上に固定しているボルトを示す。
【００１８】
図２に示すように、軸受１１Ａ・１１Ｂは、本実施形態では、いわゆる割メタルであって、上側部材１１ａと下側部材１１ｂと、両部材１１ａ・１１ｂを基台９上に固定するためのボルト１５およびナット１６により構成されており、また軸受１１Ａ・１１Ｂとクランク軸３との間にはワセリン等の潤滑剤が介在されている。なお、軸受１１Ａ・１１Ｂのうち、左側の軸受１１Ａは、割メタルでなく、ボールベアリングを用いる場合もある。
【００１９】
クランク軸３の長さ中央部分には後述するリンク部材４と連結された凹形部３ａが形成されている。すなわち、リンク部材４は、図１および図３に示すように、その長さ中央部分における軸状部４ａの後端にクランク軸３の凹形部３ａに挿嵌された円筒状部４ｂが設けられ、軸状部４ａの前端にはコ字形部材４ｃが設けられたものである。そして、コ字形部材４ｃ内に軸部材５の後端５ａが挿入され、丁ネジ１７により両部材が接続されている。また、軸部材５の前端５ｂには雄ネジ１８が形成され、該雄ネジ１８と略円筒状内部材６の後壁６ｃの前後面に配置されたナット１９・１９との嵌合により軸部材５の前端５ｂが略円筒状内部材６の後部に接続されている。
【００２０】
図１および図４に示すように、円筒状外部材７は、その前後両端寄り部分の各上側に架けられた帯状部材２１と、帯状部材２１の両端を基台９上に固定するボルト２２およびナット２３により基台９上の所定位置に設置されている。そして、円筒状外部材７の内周面にはその全長にわたって長さ方向に伸びる多数の溝２４が形成され、その内側に前記略円筒状内部材６が収容されている。
【００２１】
図１および図５に示すように、略円筒状内部材６は、有底円筒状の本体部６ａと本体部６ａの前端に一体に設けられた治療部材収容部６ｂとからなり、治療部材収容部６ｂは、正面から見て略円弧状であって、リング状治療部材８が載置可能な径となされ、横断面がチャンネル状に形成され、またその一側には、該部に設けられたヒンジ部２５を介して円弧状のストッパレバー２６が回動自在に取り付けられている。そして、治療部材収容部６ｂに治療部材８を入れた状態でストッパレバー２６を降ろせば、該ストッパレバー２６が治療部材８の上側に当接して治療部材８が治療部材収容部６ｂから脱落しない構造となされている。
【００２２】
図６および図７に示すように、治療部材８は、Ｃ形の左右部材８Ａ・８Ｂで構成され、横断面チャンネル状であって、中央のヒンジ部２７には、左右部材８Ａ・８Ｂの基端同士を連結するピン２７ａと、ピン２７ａの外周に装着されたバネ２７ｂとを備えている。また、左右部材８Ａ・８Ｂの先端には左右対称の掛止用切欠部２８が形成され、左右部材８Ａ・８Ｂの内側中央には互いに対向する凸部２９が形成されている。
【００２３】
なお、治療部材８は、通常、合成樹脂からなり、使用により表面に布張り等が施される。
【００２４】
図８および図９に示すように、本実施形態では、基台９は平面から見て横長方形の箱状体であって、その内部における右側前部には、当該装置の電源スイッチ３１とモータ１の回転および治療部材８の前後運動の強弱を調整する調整ツマミ３２を有する操作部３０が設けられており、また基台９の左部には電源となる複数の乾電池３３が入った電池ボックス３４が設けられている。そして、電池ボックス３４と操作部３０とモータ１には配線３５ａ・３５ｂが施されている。
【００２５】
次に、本装置の使用要領について説明すると、予め男性器にコンドームを装着した上、治療部材８をバネ２７ｂのバネ力に抗して両手の指で開けた状態にして、男性器に装着する。そして、本装置を一方の手で持って、その治療部材収容部６ｂに前記治療部材８を嵌め入れてストッパレバー２６を降ろせば、本装置のセットが完了する。
【００２６】
その後、操作部３０の電源スイッチ３１をＯＮにして調整ツマミ３２を回せば、モータ１が駆動すると共にクランク軸３が回転し、これに同期してリンク部材４が前後方向に動くと共にリンク部材４に連結された略円筒状内部材６も前後方向に動く。そして、略円筒状内部材６の治療部材収容部６ｂに収容された治療部材８も前後方向に動く結果、男性器に刺激が与えられる。その際、調整ツマミ３２を随時、回すことにより前記治療部材８の前後方向の移動速度が変更される。
【産業上の利用可能性】
【００２７】
本考案の装置は、簡単な構造で手軽に使用できて有効な男性器治療効果が期待でき、また安価に製造できることから、男性器の機能喪失や機能低下に悩む多くの男性に幅広く利用されることが期待できる。
【図面の簡単な説明】
【００２８】
【図１】本考案に係る装置の全体構成を示す平面図である。
【図２】本装置における割メタルの構造を示す断面図である。
【図３】本装置におけるクランク軸とリンク部材との連結構造を示す斜視図である。
【図４】本装置における円筒状外部材７への略円筒状内部材６の挿入状態を示す断面図である。
【図５】治療部材収容部における治療部材のセット状態を示す正面図である。
【図６】治療部材の正面図である。
【図７】同じく治療部材の分解正面図である。
【図８】基台の側面図である。
【図９】同じく基台の内部平面図である。
【符号の説明】
【００２９】
１    モータ
３    クランク軸
４    リンク部材
６    略円筒状内部材
７    円筒状外部材
８    治療部材
２６  ストッパレバー
【図１】
0003129323.tif 000003
【図２】
0003129323.tif 000004
【図３】
0003129323.tif 000005
【図４】
0003129323.tif 000006
【図５】
0003129323.tif 000007
【図６】
0003129323.tif 000008
【図７】
0003129323.tif 000009
【図８】
0003129323.tif 000010
【図９】
0003129323.tif 000011